(57)【特許請求の範囲】
【請求項１】
循環水と共に圧縮空気を圧縮する圧縮機本体を備えると共に，前記圧縮機本体の吐出口に吐出回路を介して連通され，前記圧縮機本体より循環水との気液混合流体として吐出された圧縮空気を導入するセパレータレシーバタンクを備え，該セパレータレシーバタンク内で圧縮空気と分離された循環水を前記圧縮機本体の給水口に導入するリターン回路を設け，前記圧縮機本体と前記セパレータレシーバタンク間に循環水の循環系を形成した水循環式コンプレッサにおいて，
前記循環系に対する循環水の補充，交換を行うために，外部給水源からの供給水を，純水器を介して前記循環水の循環系に導入するための給水回路と，前記セパレータレシーバタンク内の循環水を排出可能に構成されている排水回路とを備え，
前記純水器の一次側において，原水の電気伝導率を測定する電気伝導率測定手段と，
前記純水器に対する前記原水の通過量を計測する計量手段と，
前記電気伝導率測定手段により測定された電気伝導率と，前記計量手段により計測された原水の通過量に基づいて，前記純水器の残存処理能力を算定する算定手段と，
前記算定手段による算定の結果を表示する表示手段を備え，
前記算定手段が，
所定の電気伝導率を有する水を標準水とし，この標準水を処理対象としたときの前記純水器における総純水採取量と前記標準水の電気伝導率とを記憶する記憶手段を有すると共に，
前記原水の導入時，前記電気伝導率測定手段及び前記計量手段により測定された前記原水の電気伝導率と通過量との積を処理能力減少値として算出する処理能力減少値算出手段と，
前記総純水採取量と標準水の電気伝導率の積を前記純水器の総処理能力値とし，該総処理能力値から前記処理能力減少値を減算して，前記純水器の処理能力残存値を算出する，処理能力残存値算出手段を有し，前記処理能力残存値を前記原水の電気伝導率で除して見込み残存純水採取量を算出する，見込み残存純水採取量算出手段を備え，
前記純水器に対する原水の通過を定量ずつ行い，前記算定手段に，各回毎に得られた前記見込み残存純水採取量を，１回分の原水の通過量で除して見込み残存使用回数を算出する，見込み残存使用回数算出手段を設け，
前記純水器に対する原水の通過をコンプレッサの一定運転時間毎に行い，前記算定手段に，前記見込み残存処理回数と前記一定運転時間とを積算して見込み残存使用時間を算出する，見込み残存使用時間算出手段を設け，
前記表示手段に前記見込み残存使用時間算出手段で算出した見込み残存使用時間を表示することを特徴とするイオン交換型純水器の残存処理能力評価装置を備えた水循環式コンプレッサ。
【請求項２】
前記処理能力減少値算出手段が，前記純水器に対する原水の通過が行われる毎に前記原水の電気伝導率と通過量の測定を行って，各回毎に前記処理能力減少値を算出すると共に，
前記処理能力残存値算出手段が，第１回から最新回までの原水の通過による処理能力減少値を合算して，前記総処理能力値より減算することを特徴とする請求項１記載のイオン交換型純水器の残存処理能力評価装置を備えた水循環式コンプレッサ。
【請求項３】
前記算定手段が，前記原水の通過時における前記電気伝導率測定手段による測定結果を定時毎に取得して，平均値を算出する平均値算出手段を備えると共に，
前記処理能力減少値算出手段が，前記平均値算出手段が算出した前記電気伝導率の平均値に基づいて前記処理能力の減少値を算出することを特徴とする請求項１又は２記載のイオン交換型純水器の残存処理能力評価装置を備えた水循環式コンプレッサ。
【発明の詳細な説明】
【技術分野】
【０００１】
本発明はイオン交換型純水器の残存処理能力評価方法及び同評価装置に関し，より詳細には，イオン交換型純水器の残存処理能力を数値化し，得られた数値に基づいて，例えば純水器（カートリッジ式の場合にはカートリッジ）を交換する迄に採取可能な純水量や使用回数，交換迄の時間（運転時間）等として評価する方法及び装置に関する。
【背景技術】
【０００２】
純水器の用途の一例として，水循環式コンプレッサに装備する場合を例に説明すると，この水循環式コンプレッサは，油分を含む圧縮空気の供給を嫌う空気作業機や，油分を含む圧縮空気を使用できない例えば食品製造等の分野において使用する圧縮空気を得るために，一般に冷却，密封，潤滑のために使用される油に代えて，空気と共に水を吸い込んで吸入空気の圧縮を行うものである。
【０００３】
この水循環式コンプレッサにおいて，空気と共に圧縮機本体内に供給された水は，圧縮空気と共に吐出されてセパレータレシーバタンク内に導入され，該セパレータレシーバタンク内で圧縮空気と水とに分離される。そして，セパレータレシーバタンク内で圧縮空気と分離された循環水は，ラジエータやフィルタなどを経て再度圧縮機本体に供給されて，圧縮作業の際の冷却，密封等に使用される。
【０００４】
以上のように，水循環式コンプレッサでは，圧縮機本体，セパレータレシーバタンク，ラジエータ及びこれらを連通する管路等により形成された循環水の循環系が形成されていると共に，この循環水の循環系には，図示せざる外部給水源に連通された給水回路が連結され，この給水回路に設けた開閉弁の開閉により循環水の循環回路内に給水源から供給水を導入し得るように構成され，前記循環水の交換時，又は循環水の不足時，前記供給水を循環水の循環系に導入し得るように構成されている。
【０００５】
ところで，外部給水源からの供給水としては，一般に水道水（上水道）が使用されるが，この供給水には金属イオン等の不純物が含まれている。そのため，このような不純物を含んだままの供給水を循環水の循環系内に導入すると，圧縮作業の際の熱等によって循環水が蒸発して減少した際に，循環水中の金属イオンが濃縮され，濃縮された金属イオンが結晶化して析出し，配管詰まりの原因となる等の問題が発生する。
【０００６】
そのため，このような金属イオンの析出等による弊害を是正するために，水循環式コンプレッサに純水器を設け，外部給水源からの供給水中に含まれる不純物を予めこの純水器によって除去して純水に近付けた後，前記循環系に導入することが提案されている（特許文献１参照）。
【０００７】
なお，前述のような用途で使用される純水器は，イオン交換型と呼ばれるもので，導入された原水（処理前の水）が内部に充填されたイオン交換樹脂を通過する際に処理されて，純水または純水に近い状態で排出されるように構成されている。
【０００８】
このようなイオン交換型純水器にあっては，使用するにつれて内部に充填されたイオン交換樹脂の能力が低下し，やがて必要な純度の処理水を得ることができなくなる。
【０００９】
そのため，このようにして処理能力が低下した場合には，イオン交換樹脂が収容されたカートリッジ，又は純水器自体を交換する必要がある。
【００１０】
このような，イオン交換樹脂カートリッジや純水器の交換時期を表示するために，純水器の二次側において純水の電気伝導率を測定し，この測定値が予め定められた電気伝導率の基準値を越える場合にイオン交換樹脂の終点と判断し，報知する方法が提案されている（特許文献２参照）。
【００１１】
この発明の先行技術文献情報としては次のものがある。
【特許文献１】特許第３０６５３０２号公報
【特許文献２】特許第３２０９４８８号公報
【発明の開示】
【発明が解決しようとする課題】
【００１２】
前述の特許文献２に記載の発明は，使用により純水器のイオン交換樹脂の不純物除去能力が低下するにつれて，純水器による処理後の水に含まれる金属イオン等の不純物の量が増加すると，純水器を通過した水の電気伝導率も上昇することに着目し，純水器の二次側における電気伝導率の上昇に基づいてイオン交換樹脂の終点を判断し，報知等するように構成したものである。
【００１３】
そのため，イオン交換樹脂の終点が報知されたときには，イオン交換樹脂は既に使用に耐え得ないものとなっている。そのため，純水の供給を必要とする機器に組み込んだ純水器，例えば前述の水循環式コンプレッサに組み込んだ純水器に使用すると，イオン交換樹脂の終点が報知されたときには，既に不純物を含んだ水が前述の循環水の循環系に供給されているおそれがある。
【００１４】
循環水の循環系に対し，不純物を含む供給水が導入されることを防止するためには，例えば純水器のイオン交換樹脂が交換時期にあることが判定されたときに，直ちにコンプレッサを非常停止させることも考えられるが，このような非常停止を行う場合には，イオン交換樹脂，又は純水器自体を交換するまでコンプレッサを再起動することができず，コンプレッサが比較的長時間に亘って使用できなくなり，その間，コンプレッサを使用した作業等も停止する。
【００１５】
また，前記判定の基準とする数値を，余裕を持たせて設定しておくことも考えられるが，純水器の二次側の電気伝導率は，イオン交換樹脂の性能低下が生じる前においては安定した数値を示して殆ど変化せず，一旦性能の低下が始まると急速に上昇し，比較的短時間で不純物の混入量が増大する（電気伝導率が上昇する：図６参照）。そして，水循環式コンプレッサにあっては，一例として電気伝導率１μS/cm以下の純水を循環系に導入するため，当初より余裕を持たせるだけの数値幅を確保することが困難である。
【００１６】
このように，前記従来の方法による場合には，いずれの場合においてもイオン交換樹脂の終点が報知された場合には，コンプレッサを早急に停止して純水器ないしはイオン交換樹脂を交換する必要がある。
【００１７】
そのため，例えばイオン交換樹脂が終点となったことが報知されてから，交換用のイオン交換樹脂や純水器を販売元等から取り寄せていたのではコンプレッサに不純物を含む水が導入されてしまったり，又は，コンプレッサを使用した作業が長時間に亘って停止することとなり，折角，イオン交換樹脂の交換時期を表示するように構成した意味が失われてしまうことになる。そのため，比較的高価であるにも拘わらず，交換用のイオン交換樹脂カートリッジや純水器を常に在庫として保有しておく等，いつ訪れるが判らない交換の準備をしておく必要があった。
【００１８】
なお，上記従来技術が有する問題点は，イオン交換樹脂の終点が訪れて初めて報知等が行われることに起因するものであり，イオン交換樹脂の交換時期が何時到来するかが事前に予測できれば解消する。
【００１９】
しかし，前述したようにイオン交換樹脂の性能は，低下が始まるまで殆ど変化せずに安定した状態を示し，従って，純水器の二次側における電気伝導率も，イオン交換樹脂が終点を迎える迄，殆ど変化しない（図６参照）。
【００２０】
そのため，純水器の二次側の電気伝導率を測定し，これを基準値と比較してイオン交換樹脂の性能を判定する以上，終点が到来したことを事後的に判断する構成とならざるを得ず，事前に交換時期等の到来を予測することはできない。
【００２１】
しかも，前述した電気伝導率の変化が現れる時期は，処理対象とする水の水質に影響されるために，一般に水道水を供給水として使用する水循環式コンプレッサでは，地域や季節等によって処理対象とする供給水の水質が変化するために，例えば純水器を通過させた水の量に基づいて予測することもできない。
【００２２】
そこで本発明は，イオン交換型純水器において，この純水器の残存処理能力を数値として評価し，交換までに採取できる純水量，使用回数，使用時間等を予測可能とした評価方法及び評価装置を提供することにより，上記従来技術では不可能であった，イオン交換樹脂の交換時期の事前予測を可能とすることを目的とする。
【課題を解決するための手段】
【００２３】
上記目的を達成するために，本発明の水循環式コンプレッサは，イオン交換型純水器の残存処理能力を以下の方法で評価する残存処理能力評価装置を備えている。
所定の電気伝導率を有する水を標準水とし，この標準水を処理対象としたときの評価対象純水器における総純水採取量（標準総純水採取量）と，前記標準水の電気伝導率との積を，前記純水器の総処理能力値ＡALLとし，
前記純水器に対する原水の導入時，前記純水器に対する前記供給水の通過量Ｌを測定すると共に，前記純水器の一次側において前記原水の電気伝導率Ｓを測定し，前記原水の通過量Ｌと電気伝導率Ｓとの積を，前記原水の通過により減少した前記純水器の処理能力減少値ＡLOSSとし，
前記総処理能力値ＡALLから，前記処理能力減少値ＡLOSSを減じて，前記純水器の処理能力残存値ＡRESTとすること。
【００２４】
すなわち，純水器の残存処理能力を次式，
総処理能力値ＡALL＝標準水の電気伝導率×標準総純水採取量
処理能力減少値ＡLOSS＝原水の電気伝導率Ｓ×原水通過量Ｌ
処理能力残存値ＡREST＝総処理能力値ＡALL−処理能力減少値ＡLOSS
に基づいて算出された数値として評価する。
【００２５】
前記評価方法において，前記純水器に対する原水の通過を行う毎に前記原水の電気伝導率と通過量の測定を行って，各回毎に前記処理能力の減少値を求め，
第１回から最新回までの原水の通過による処理能力の減少値を合算して，前記総処理能力値より減算することができる。
【００２６】
すなわち，
第１回目の給水による処理能力減少値＝ＡLOSS1
第２回目の給水による処理能力減少値＝ＡLOSS2
第ｎ回目の給水による処理能力減少値＝ＡLOSSn      とした場合，
ｎ回目の給水時における残存処理能力値ＡRESTn を，
ＡRESTn ＝ ＡALL −（ＡLOSS1 ＋ＡLOSS2 ＋・・・ＡLOSSn）  として求め，又は，
第ｎ−１回目の給水時に求めた処理能力残存値ＡRESTn-1に基づいて，
ＡRESTn ＝ ＡRESTn-1 −ＡLOSSn  として求める。
【００２７】
さらに，前記評価方法において，前記原水の通過時における電気伝導率の測定を，所定の時間毎に複数回行うと共に，測定された電気伝導率の平均値に基づいて，前記処理能力減少値を算出することができる。
【００２８】
また，前記処理能力の残存値ＡRESTを，前記原水の電気伝導率で除して見込み残存純水採取量を算出するものとしても良い。
【００２９】
なお，前記純水器に対する原水の導入は，これを定量ずつ行い，前記見込み残存純水採取量を，前記一回分の導入量で除して見込み残存使用回数を算出し，さらに，前記純水器に対する原水の導入を，コンプレッサの所定の運転時間毎に行い，前記残存処理回数と，前記一定時間との積を，前記純水器又はイオン交換樹脂を交換する迄の見込み残存使用時間（見込み残存運転時間）として評価する。
【００３０】
上記方法を実現する本発明のイオン交換型純水器の残存処理能力評価装置を備えた水循環式コンプレッサは，
循環水と共に圧縮空気を圧縮する圧縮機本体を備えると共に，前記圧縮機本体の吐出口に吐出回路を介して連通され，前記圧縮機本体より循環水との気液混合流体として吐出された圧縮空気を導入するセパレータレシーバタンクを備え，該セパレータレシーバタンク内で圧縮空気と分離された循環水を前記圧縮機本体の給水口に導入するリターン回路を設け，前記圧縮機本体と前記セパレータレシーバタンク間に循環水の循環系を形成した水循環式コンプレッサにおいて，
前記循環系に対する循環水の補充，交換を行うために，外部給水源からの供給水を，純水器を介して前記循環水の循環系に導入するための給水回路と，前記セパレータレシーバタンク内の循環水を排出可能に構成されている排水回路とを備え，
前記純水器４５の一次側において，原水の電気伝導率を測定する，例えば電気伝導率計や抵抗計等の電気伝導率測定手段６１と，
前記純水器４５に対する前記原水の通過量を計測する流量計等の計量手段６２と，
前記電気伝導率測定手段６１により測定された電気伝導率と，前記計量手段６２により計測された通過量に基づいて，前記純水器の残存処理能力を算定する，電子制御装置等によって実現される算定手段７０と，
前記算定手段７０による算定の結果を表示する表示手段８０を備え，
前記算定手段７０が，
所定の電気伝導率を有する水を標準水とし，この標準水を処理対象としたときの前記純水器における総純水採取量（標準総純水採取量）と前記標準水の電気伝導率とを記憶する記憶手段を有すると共に，
前記原水の導入時，前記電気伝導率測定手段６１及び前記計量手段６２により測定された前記原水の電気伝導率と通過量との積を処理能力減少値ＡLOSSとして算出する処理能力減少値算出手段と，
前記標準総純水採取量と標準水の電気伝導率の積を前記純水器４５の総処理能力値ＡALLとし，該総処理能力値ＡALLから前記処理能力減少値ＡLOSSを減算して，前記純水器４５の処理能力残存値ＡRESTを算出する，処理能力残存値算出手段を有し，前記処理能力残存値を前記原水の電気伝導率で除して見込み残存純水採取量を算出する，見込み残存純水採取量算出手段を備え，
前記純水器に対する原水の通過を定量ずつ行い，前記算定手段に，各回毎に得られた前記見込み残存純水採取量を，１回分の原水の通過量で除して見込み残存使用回数を算出する，見込み残存使用回数算出手段を設け，
前記純水器に対する原水の通過をコンプレッサの一定運転時間毎に行い，前記算定手段に，前記見込み残存処理回数と前記一定運転時間とを積算して見込み残存使用時間を算出する，見込み残存使用時間算出手段を設け，
前記表示手段に前記見込み残存使用時間算出手段で算出した見込み残存使用時間を表示することを特徴とする（請求項１）。
【００３１】
前記構成の評価装置において，前記処理能力減少値算出手段が，前記純水器４５に対する原水の通過が行われる毎に前記原水の電気伝導率と通過量の測定を行って，各回毎に前記処理能力減少値を算出すると共に，
前記処理能力残存値算出手段が，第１回から最新回までの原水の通過による処理能力減少値を合算して，前記総処理能力値より減算するように構成しても良い（請求項２）。
【００３２】
さらに，前記算定手段７０が，前記原水の通過時における前記電気伝導率測定手段による測定結果を定時毎に取得して，平均値を算出する平均値算出手段を備えると共に，
前記処理能力減少値算出手段が，前記平均値算出手段が算出した前記電気伝導率の平均値に基づいて前記処理能力の減少値を算出するように構成することもできる（請求項３）。
【発明の効果】
【００３５】
以上説明した本発明の構成により，本発明の水循環式コンプレッサによれば，原水の水質に関係なく，純水器４５の残存処理能力を数値（残存処理能力値ＡREST）として評価することができ，この数値に基づいて，純水器又はイオン交換樹脂の交換時期等を事前に予測することが可能となった。
【００３６】
純水器４５に対する供給水の通過毎に，処理能力減少値ＡLOSSを算出すると共に，第１回から最新回迄の処理能力減少値を合算して総処理能力値ＡALLより減算することにより，供給水の導入を行う毎に減少する純水器４５の残存処理能力を確認することができ，交換時期等の把握を容易に行うことができた。
【００３７】
また，原水の電気伝導率を複数回に分けて測定し，測定された電気伝導率の平均値を以て前記残存処理能力を評価するよう構成した場合には，電気伝導率が安定しない原水を処理対象とする場合にあっても，正確に残存処理能力の評価を行うこうが可能であった。
【００３８】
さらに，残存処理能力値ＡRESTに基づき，残存純水採取量，残存使用回数，残存使用時間（運転時間）等の見込み値を算出することにより，より判りやすい，具体的な数値として，純水器の残存処理能力を判定することができた。
【発明を実施するための最良の形態】
【００３９】
次に，本発明の実施形態につき添付図面を参照しながら以下説明する。
【００４０】
〔基本構成〕
１．前提
本発明において，残存能力の評価対象とする純水器は，純水器を構成する容器内に，イオン交換樹脂を充填したイオン交換型純水器であり，このイオン交換樹脂中に処理対象である供給水を通過させた際，原水中に含まれる金属イオン等の不純物を，イオン交換樹脂がイオン交換反応によって除去するものである。
【００４１】
従って，イオン交換樹脂が飽和に達すればイオン交換反応を行わなくなり，イオン交換樹脂が除去できる不純物の総量は，純水器に充填されたイオン交換樹脂の持つ飽和量によって決まる。
【００４２】
一方，水は，含有する電解質が多い程，電気を通しやすくなり，電気伝導率が上昇する。そのため，水の電気伝導率を測定することにより，この水に溶解している電解質，即ち金属イオン等の不純物量を推測することができる。
【００４３】
以上の点を前提に，純水器における処理対象水（原水）の電気伝導率と，この純水器において採取可能な純水（ここでは，電気伝導率が１μS/cm以下のものを「純水」と定義）の総量を示す相関グラフ（図１参照）を観察すると，処理対象とする原水の電気伝導率が上昇するに従い，純水の総採取量が減少する関係にあるだけでなく，グラフに現れた電気伝導率と純水採取量との関係を詳細に検討すると，例えば電気伝導率が100(μS/cm)の原水を処理した場合には4000(L)であった純水採取量が，原水の電気伝導率が２倍の200(μS/cm)になると，１／２の2000(L)に，さらに４倍の400(μS/cm)になると，１／４の1000（L）に減少するという関係にあることが判る。
【００４４】
すなわち，原水の電気伝導率が２倍，４倍となると，純水採取量は，１／２，１／４となる関係にあり，電気伝導率の比は，原水中に含まれる不純物量の比をほぼそのまま正確に表すものであることに着目した。
【００４５】
なお，このような原水の電気伝導率と純水採取量との相関関係は，他のイオン交換型純水器においても同様に見られる現象である。
【００４６】
そこで，本発明では，水の電気伝導率を，この水の単位容積当たりに含まれる不純物の量と仮定し，この電気伝導率と水の体積との積を，前記体積の水中に含まれる不純物の総量と仮定したことを出発点とする。
【００４７】
２．純水器の総処理能力の数値化
以上の仮定から，或る純水器が飽和に達する迄に除去できる不純物の総量（飽和量）は，所定の電気伝導率を持った水（標準水）を処理対象としたときの純水採取量と，前記標準水の電気伝導率との積によって求めた値（総処理能力値ＡALL）として数値化することが可能である。
【００４８】
一例として，図１のグラフに示す純水器を例として説明すれば，電気伝導率が100(μS/cm)の水を標準水とすると，この標準水を処理対象としたときの純水採取量は，4000(L)であることから，この純水器の総処理能力値ＡALLは，
総処理能力値ＡALL＝100(μS/cm) × 4000(L) ＝ 400000
となる。
【００４９】
この総処理能力値ＡALLは，純水器が同じであれば，例えば電気伝導率が200(μS/cm)，400(μS/cm)の水を標準水とした場合であっても，
総処理能力値ＡALL＝200(μS/cm) × 2000(L) ＝ 400000
総処理能力値ＡALL＝400(μS/cm) × 1000(L) ＝ 400000
で一定となり，処理対象とする原水の電気伝導率に拘わらず，除去できる不純物の総量は略一定であることを示す。このことから，総処理能力値ＡALLを求めるための前記標準水の電気伝導率は，任意の値を取ることができる。
【００５０】
従って，例えば純水器メーカーが公示する純水器の仕様，例えばカタログ等に表示されている純水採取量と，この純水採取量の算出基準とした原水の水質（電気伝導率）が判明している場合には，ここに示されている純水採取量と，算出基準とした原水の電気伝導率を前記標準水の電気伝導率に基づいて，この純水器における総処理能力値ＡALLを数値化することができる。
【００５１】
３．原水の通過により喪失した処理能力の数値化
また，純水器を通過する原水中に含まれる不純物量は，純水器を通過した原水の通過量Ｌ（測定値）と，純水器の一次側における原水の電気伝導率Ｓ（測定値）との積として，数値化することができる。
【００５２】
そして，この原水中の不純物が，純水器を通過する際にイオン交換樹脂によって除去されたと仮定すると，この純水器が除去できる残りの不純物量は，除去した不純物の量分，減少する。
【００５３】
従って，純水器を通過した原水の通過量Ｌ（測定値）と，純水器の一次側における原水の電気伝導率Ｓ（測定値）との積を，この供給水を処理することによる，純水器の処理能力減少値ＡLOSSとして数値化することができる。
【００５４】
そして，純水器の総処理能力値ＡALLから，前記処理能力減少値ＡLOSSを減算すれば，純水器が持つ，残りの処理能力値（処理能力残存値ＡREST）を数値として算出することができる。
【００５５】
一例として，純水器に，
電気伝導率Ｓ＝200(μS/cm)
通過量Ｌ＝26.8(L)
の原水を通過させた場合を想定すると，このときの純水器の処理能力減少値ＡLOSSは，
処理能力減少値ＡLOSS＝Ｓ×Ｌ＝200(μS/cm)×26.8(L)＝5360
となる。
【００５６】
従って，前記供給水の通過後における純水器の処理能力残存値ＡRESTは，
処理能力残存値ＡREST＝ＡALL−ＡLOSS＝400000−5360＝394640
となり，純水器の残りの処理能力を数値化することができる。
【００５７】
ここで得た処理能力残存値ＡRESTは，これをそのまま，又は加工して，表示装置に表示することで，現状における純水器の残存処理能力を確認でき，これに従って純水器の交換時期等を予測することが可能となる。
【００５８】
〔付加的要素〕
本発明では，前記基本構成を前提に，さらに純水器の残存処理能力を正確に表示するため，また，該純水器が例えば前述した水循環式コンプレッサに設ける場合を考慮し，以下のような構成を追加可能としている。
【００５９】
１．処理能力残存値ＡRESTの正確性を向上させるための構成
前記基本構成に加え，評価する残存値をより正確なものとするために，純水器４５に対する原水の導入が行われているとき，前述の原水の電気伝導率の測定を所定時間毎に複数回行い，ここで測定された電気伝導率の平均値を，供給水の電気伝導率Ｓとして前記処理能力減少値ＡLOSSを算出するように構成する。
【００６０】
これにより，電気伝導率が安定しない供給水を処理対象とした場合であっても，評価の際の誤差を低減させることができる。
【００６１】
２．処理能力残存値ＡRESTの更新
一例として，前述した水循環式コンプレッサでは，定期的に循環系に対する供給水の導入を行う等，純水器に対する原水の通過が間欠的に行われるため，給水が行われる毎に処理能力残存値ＡRESTを更新する必要がある。
【００６２】
具体的には，供給水の導入が行われる各回毎に，供給水の通過量を計測し，第１回から最新回迄の処理能力減少値を合算して総処理能力値より減算する。
【００６３】
３．見込み残存純水採取量の算出
この構成は，純水器の残存処理能力値ＡRESTによって，さらにどの程度の純水採取が可能であるかを判定するものであり，
見込み残存純水採取量＝処理能力の残存値ＡREST／原水の電気伝導率
によって算出する。
【００６４】
４．見込み残存使用回数
この構成は，純水器が設けられている例えば水循環式コンプレッサにおいて，一回分の給水量が予め決まっている場合において，純水器の残存処理能力値においてあと何回，給水を行うことができるかの見込み回数を算定するものであり，
見込み残存使用回数＝見込み残存純水採取量／１回分の供給水導入量
によって算出する。
【００６５】
５．見込み残存運転時間の算出
この構成は，純水器が設けられている例えば水循環式コンプレッサにおいて，供給水の一回分の給水量が予め決まっていると共に，次回の給水までの時間が，例えば運転時間等によって予め決定されている場合において，純水器の残存処理能力値に対し，あと何時間，純水器を使用できるかを算出するものであり，
見込み残存運転時間＝見込み残存使用回数×水の交換迄の時間
によって算出する。
【００６６】
〔装置構成〕
次に，上記方法を実現するための本発明の評価装置の構成例について，以下説明する。
【００６７】
なお，以下の実施形態にあっては，本発明の評価装置を，水循環式コンプレッサに設けた純水器の残存処理能力の評価に使用するものとして説明するが，本発明の評価装置は，純水の供給が必要とされる各種用途，機器等に使用される純水器の残存処理能力の評価に対し広く全般に使用可能であり，本発明の用途は実施形態に示した例に限定されない。
【００６８】
１．水循環式コンプレッサの全体構成
図２において，１は，水循環式コンプレッサであり，この水循環式コンプレッサは，循環水と共に圧縮空気を圧縮する圧縮機本体１０を備えると共に，この圧縮機本体１０の吐出口１１に吐出回路３１を介して連通され，圧縮機本体１０より循環水との気液混合流体として吐出された圧縮空気を導入するセパレータレシーバタンク２０を備えている。
【００６９】
また，このセパレータレシーバタンク２０には，セパレータレシーバタンク２０内で圧縮空気と分離された循環水を，前記圧縮機本体１０の給水口１２に導入するリターン回路３２が設けられ，これにより，圧縮機本体１０とセパレータレシーバタンク２０間に，循環水の循環系が形成されている。
【００７０】
なお，図２において，リターン回路３２中に示す符号４１はラジエータ，符号４２は水フィルタであり，前記セパレータレシーバタンク２０内の循環水を冷却すると共に，濾過して，圧縮機本体１０の給水口１２に導入する。
【００７１】
以上のように構成された水循環式コンプレッサ１では，前記循環系に対する循環水の補充，交換を行うために，外部給水源からの供給水を，前記循環水の循環系に導入するための給水回路５０（５１，５２，５３）が設けられている。
【００７２】
この給水回路５０は，本実施形態にあっては，上水道等の外部給水源に開閉弁４３を介して連通された導入部５１と，この導入部５１から分岐した２つの回路５２，５３により構成されており，分岐した一方を圧縮機本体１０の吸気側に連通して補水用の給水回路５２と成すと共に，他方をセパレータレシーバタンク２０に連通して，タンク用給水回路５３とした。
【００７３】
そして，前述の外部給水源から分岐点迄の給水回路（導入部５１）に，上流側から水フィルタ４４，純水器４５の順で配置し，また，前記補水用給水回路５２と，前記交換用給水回路５３には，それぞれ前記回路を開閉する電磁開閉弁４６，４７を設けた。
【００７４】
なお，図２中，４８は，前記交換用給水回路５３に設けた逆止弁であり，セパレータレシーバタンク２０内の圧力によって循環水が逆流及び圧縮空気が流出することを防止する。
【００７５】
また，３３は排水回路であり，電磁開閉弁４９によって排水回路３３を開くことで，セパレータレシーバタンク２０内の循環水を排出可能に構成されている。
【００７６】
以上のように構成された水循環式コンプレッサ１において，タンク用給水回路５３は，セパレータレシーバタンク２０内に直接循環水を供給する際に使用され，一例として，コンプレッサ１の始動スイッチをＯＮにしたとき，セパレータレシーバタンク２０内の水位が所定のレベル以下であると，電磁開閉弁４７がタンク用給水回路５３を開き，外部給水源からの供給水が，水フィルタ４４によって濾過されると共に，純水器４５を通過して純水化されて，セパレータレシーバタンク２０内に導入される。
【００７７】
また，補水用給水回路５２は，コンプレッサ１の作動時，圧縮機本体１０を介して前記循環系内に給水するための回路であり，例えばコンプレッサ１の所定時間運転の運転により，循環系内の循環水を交換等する際に使用される。例えば，コンプレッサ１が所定時間運転されると，電磁開閉弁４９が排水回路３３を開き，循環系内の循環水を所定量排出した後，排水回路３３を閉じる。その後，電磁開閉弁４６が開いて補水用給水回路５２を介して純水器４５を通過した純水が圧縮機本体１０を介して循環系内に導入され，この動作を数回繰り返すことにより，循環系内の循環水を純水に近付ける。
【００７８】
２．残存能力評価装置の構成
以上のように構成された水循環式コンプレッサにおいて，本発明の評価装置は，図３に示すように，給水回路５０の導入部５１に設けられた前記純水器４５の一次側において原水（供給水）の電気伝導率を測定する電気伝導率測定手段６１と，前記純水器４５を通過した原水量を計測する計量手段６２と，前記電気伝導率測定手段６１によって測定された電気伝導率と，計量手段６２によって計測された原水量に基づいて，純水器４５の残存処理能力を算定する算定手段７０，及び，前記算定手段７０による算定結果に従って，純水器４５の残存処理能力を表示する，液晶表示盤等の表示手段８０を備えている。
【００７９】
（１）電気伝導率測定手段
前述の電気伝導率測定手段６１としては，既知の電気伝導率計を使用することができ，また，電気伝導率は，抵抗率の逆数であることから，前記電気伝導率計に代えて抵抗計を設け，これにより供給水の電気伝導率（抵抗率）を測定するものとしてもよい。
【００８０】
（２）原水通過量の計測手段
また，純水器４５を通過した原水量を計測する計量手段６２としては，前記供給水の流量を測定可能であれば如何なる構成を採用しても良く，図示の実施形態にあっては，純水器４５の二次側において前記給水回路５０に流量計を設け，この流量計によって純水器を通過した供給水の流量を計測するように構成している。
【００８１】
もっとも，図３に示した実施形態に限定されず，前記流量計は純水器４５の一次側に設けても良く，また，例えばセパレータレシーバタンク２０内にレベルスイッチを設け（図２参照），これを計量手段６２としても良く，給水回路５０を介して循環系内に供給水が導入されることによる循環水の増加分を，このレベルスイッチである計量手段６２により検出・計測するように構成しても良い。
【００８２】
（３）算定手段
前述の算定手段７０は，電気伝導率測定手段６１，及び計量手段６２より，電気信号として受信した電気伝導率Ｓ及び原水通過量Ｌに基づいて，予め設定されたプログラムに従った演算処理を行うことにより，純水器４５の残存処理能力を数値（残存処理能力値ＡREST）として算出すると共に，算出結果を後述する表示装置８０に表示させる処理装置であり，例えば電子制御装置によって実現されるものである。
【００８３】
この算定手段７０は，予め設定されたプログラムの実行により，以下の各処理を行う各手段が実現される（図４参照）。
【００８４】
なお，前述の算定手段７０には，初期設定として，例えば純水器４５の仕様書等に基づいて，該純水器４５の標準純水採取量(L)，及びこの標準純水採取量の算定基準となった原水（標準水）の電気伝導率(μS/cm)を入力し，これを記憶させておく。
【００８５】
また，水循環式コンプレッサ１の前記循環水の循環系に対する供給水の一回分の給水量が予め決まっている場合には，この一回分の給水量(L)が記憶されると共に，このような原水の導入を，水循環式コンプレッサの所定の運転時間毎に行うように構成されている場合には，この導入迄の運転時間(h)を，図示せざる操作キーや，タッチパネル等の操作によって入力し，算定手段７０の記憶手段に記憶させておく。
【００８６】
図４において，電気伝導率測定手段６１によって測定された，純水器４５の一次側における原水の電気伝導率は，電気信号として算定手段７０に入力され，平均値算出手段によって電気伝導率の平均値が算出される。
【００８７】
この平均値算出手段は，各回毎の原水の導入中，タイマに予め設定された所定時間（Δt）毎に電気伝導率を受信すると共に，受信した各電気伝導率を一時記憶し，受信した電気伝導率の平均値を算出する。
【００８８】
このようにして算出された電気伝導率の平均値は，処理能力減少値算出手段により，前述の計量手段６２によって計測された，純水器を通過した原水量(L)と積算されて，純水器の処理能力減少値ＡLOSSが算出される。
【００８９】
なお，この処理能力減少値算出手段は，前記純水器に対する原水の通過が行われる毎に前記原水の電気伝導率と通過量の測定を行って，各回毎に前記処理能力の減少値を算出する。
【００９０】
このようにして，算出された処理能力減少値ＡLOSSは，処理能力残存値算出手段によって，前記初期設定により設定された該純水器の標準純水採取量と標準水の電気伝導率との積として求められた総処理能力値ＡALLから減算され，純水器の残存処理能力が数値（残存処理能力値ＡREST）として算出される。
【００９１】
なお，純水器４５に対する原水の導入が，二回目以降である場合には，各回毎に算出した処理能力減少値を合算して，前記総処理能力値ＡALLより減算する。
【００９２】
このようにして算出された残存処理能力値ＡRESTに基づいて，見込み残存純水採取量算出手段は，次式，
見込み残存純水採取量＝残存処理能力値ＡREST／原水の電気伝導率
に基づき，純水器４５によって以後採取可能な純水の見込み量を，見込み残存純水採取量として算出して，後述する表示手段８０に表示させる。
【００９３】
また，前述した初期設定において，１回の供給水の導入量が設定されている場合には，見込み残存使用回数算出手段は，次式，
見込み残存使用回数＝見込み純水採取量／１回分の供給水量
に基づき，見込み残存使用回数を算出して，後述する表示手段に表示させる。
【００９４】
さらに，前述した初期設定において，コンプレッサの一定の運転時間毎に，一定量の供給水の導入を行う場合には，見込み運転時間算出手段は，次式，
見込み残存運転時間＝見込み残存使用回数×供給水導入迄の運転時間
に基づき，見込み残存運転時間を算出して，後述する表示手段に表示させる。
【００９５】
（４）表示手段
以上のようにして，算定手段７０によって算定された純水器４５の残存処理能力は，表示手段８０に送信されて表示される。
【００９６】
この表示手段８０としては，例えば直線上に複数のＬＥＤを並べる等して，総処理能力値ＡALLに対する残存処理能力値ＡRESTの比率に応じて点灯させるＬＥＤ数を増加又は減少させることにより表示する等，単純な構成としても良いが，本実施形態にあっては，一例として図５に示すように，前記算定手段７０によって算定された，見込み残存純水採取量，見込み残存使用回数，見込み残存運転時間の全てを表示可能とし，各表示項目に対応した表示箇所を設けた構成とした。
【００９７】
本実施形態にあっては，コンプレッサの各種設定，表示等を行わせるために設けたタッチパネル上に，これらの数値を表示可能としたものであり，画面上に表示された案内に従ってタッチパネル上の所定の位置に触れることで，純水器４５の残存処理能力に関する各種の数値が表示されるように構成した。
【００９８】
このような表示手段８０を設けることにより，オペレータは純水器自体，又は純水器のイオン交換樹脂カートリッジの交換時期を正確に予測することが可能である。
【実施例】
【００９９】
前述した本発明の方法によって，水循環式コンプレッサに設けた純水器の残存処理能力の判定を行った例について以下に示す。
【０１００】
１．純水器
純水器として，電気伝導率が200(μ/cm)の水を標準水としたとき，1(μ/cm)以下の純水を2000(L)採取可能なものを使用した。
【０１０１】
従って，純水器の総処理能力値ＡALLは，
総処理能力値ＡALL＝  200(μ/cm)×2000(L)  ＝  400000
である。
【０１０２】
２．コンプレッサの設定
上記純水器を設けた水循環式コンプレッサは，コンプレッサ100(h)運転毎に，循環水を交換するように設定されたもので，１回の循環水の交換に際して導入する供給水量は，26.8(L)である。
【０１０３】
３．判定方法
以上，本発明の方法により，前記水循環式コンプレッサに設けられた純水器を判定対象とし，使用と共に減少する残存処理能力を数値として求めた結果を次表に示す。
【０１０４】
【表１】
0004829636.tif 000002
【図面の簡単な説明】
【０１０５】
【図１】処理対象水（原水）の電気伝導率−純水採取量の相関グラフ。
【図２】水循環式コンプレッサの全体構成図。
【図３】残存処理能力評価装置の概略構成図。
【図４】算定手段の機能ブロック図。
【図５】表示手段における表示例を示す説明図。
【図６】純水採取量−純水電気伝導率相関グラフ。
【符号の説明】
【０１０６】
１  水循環式コンプレッサ
１０  圧縮機本体
１１  吐出口
１２  給水口
２０  セパレータレシーバタンク
３１  吐出回路
３２  リターン回路
３３  排水回路
４１  ラジエータ
４２，４４  水フィルタ
４３  開閉弁
４５  純水器
４６，４７，４９  電磁開閉弁
４８  逆止弁
５０  給水回路
５１  導入部（給水回路５０の）
５２  補充用給水回路
５３  交換用給水回路
６１  電気伝導率測定手段（電気伝導率計）
６２  計量手段
７０  算定手段
８０  表示手段
【図１】
0004829636.tif 000003
【図２】
0004829636.tif 000004
【図３】
0004829636.tif 000005
【図４】
0004829636.tif 000006
【図５】
0004829636.tif 000007
【図６】
0004829636.tif 000008